(57)【特許請求の範囲】
【請求項１】
電源となるバッテリ（４２）と、
当該バッテリの電源供給先を制御する電源供給制御装置（４６）と、
当該バッテリの残量を検出する残量検出装置（４４）と、
情報を表示する情報表示装置（２８）と、
通信信号の受信系（１４，１６，１８，２０）及び送信系（３４，３６，３８）と、
緊急警報信号を検出する緊急警報信号検出装置（３０）と、
当該バッテリ（４２）の残量が所定値未満になると、当該受信系、当該送信系及び当該情報表示装置への電力供給を遮断し、当該緊急警報信号検出装置に電力を供給するように当該電源供給制御装置を制御する制御装置（２２）
とを具備し、
当該緊急警報信号検出装置が、緊急警報信号を受信すると、当該情報表示装置に電力を供給するように電源供給制御装置（４６）を制御し、当該緊急警報信号が示す警報内容を当該情報表示装置に表示させることを特徴とする携帯電話機。
【請求項２】
当該所定値は、当該通常通信信号の受信系を動作させられないが、当該緊急警報信号検出装置を動作させることができる残量であることを特徴とする請求項１に記載の携帯電話機。
【発明の詳細な説明】
【技術分野】
【０００１】
本発明は、携帯電話機に関し、より具体的には、災害時に関係者に警報などを通知する警報システムにおいて警報受信に適した携帯電話機に関する。
【背景技術】
【０００２】
災害 などが発生した場合に、被災者を安全確実に避難場所に誘導するために自動的に案内を通知又は表示する広域警報システムが必要である。そのような広域警報システムとして、無線電話送信機を備えた警報送信装置を連絡本部に設置し、それぞれ電話番号が異なる無線電話受信機を有する複数の警報受信装置を避難場所に設置し、前記警報送信装置が、前記無線電話網を利用して、災害発生地域の避難場所側にある前記警報受信装置を個別に発呼して、各避難場所に応じた通報 メッセージを送信し、前記警報受信装置は、前記無線電話受信機で受信した前記通報 メッセージを電光掲示板に表示するシステムが、特許文献１に記載されている。
【０００３】
地震等の災害時に、停電検出に応じて商用電源からバッテリに切り替えて非常通報を行う通報装置が、特許文献２に記載されている。
【０００４】
ＣＡＴＶ網を利用し、災害 等の緊急情報を、災害の種類に応じて予め定めてある地域や機関に映像情報として提供するシステムが、特許文献３に記載されている。
【０００５】
また、携帯電話では、登録された事項に関する情報又は警報などを携帯電話機に提供する通報サービスがある。
【０００６】
２００６年に開始される携帯電話向けの1セグメント地上デジタル放送では、緊急災害が発生した場合に、携帯電話機にその情報を発信する機能が装備されることになっている。
【特許文献１】特開２００４−２８８１３２号公報
【特許文献２】特開平１１−１２７２７２号公報
【特許文献３】特開平０８−０４６９４６号公報
【発明の開示】
【発明が解決しようとする課題】
【０００７】
携帯電話機を受信装置として利用する警報システム又は通知システムでは、携帯電話機のバッテリが完全に消耗した場合に、警報を受信できなくなってしまう。何らかの手段で外部から充電等により携帯電話機に電力を供給する必要があるが、それも、警報が出されていることを知って初めて可能となる。
【０００８】
本発明は、可能な限り警報を受信できる携帯電話機を提示することを目的とする。
【課題を解決するための手段】
【０００９】
本発明に係る携帯電話機は、電源となるバッテリと、当該バッテリの電源供給先を制御する電源供給制御装置と、当該バッテリの残量を検出する残量検出装置と、情報を表示する情報表示装置と、通信信号の受信系及び送信系と、緊急警報信号を検出する緊急警報信号検出装置と、当該バッテリの残量が所定値未満になると、当該受信系、当該送信系及び当該情報表示装置への電力供給を遮断し、当該緊急警報信号検出装置に電力を供給するように当該電源供給制御装置を制御する制御装置とを具備し、当該緊急警報信号検出装置が、緊急警報信号を受信すると、当該情報表示装置に電力を供給するように電源供給制御装置を制御し、当該緊急警報信号が示す警報内容を当該情報表示装置に表示させることを特徴とする。
【発明の効果】
【００１０】
本発明によれば、バッテリの残量が所定値未満になると、通常通信信号の受信系及び送信系への電力供給を遮断し、緊急警報信号検出装置に電力を供給するようにして、緊急警報信号を待機する状態になる。この結果、携帯電話の通常通話ができないほどにバッテリが消耗しても、緊急警報を受信し表示することが可能になり、緊急警報の受信装置として利用できるようになり、災害時の避難活動に役立てられる。
【発明を実施するための最良の形態】
【００１１】
以下、図面を参照して、本発明の実施例を詳細に説明する。
【００１２】
図１は、本発明の一実施例である携帯電話機の概略構成ブロック図を示す。アンテナ１０で受信した電波信号は、サーキュレータ１２により復調装置１４に入力し、復調される。復調装置１４の出力は、メモリ１６と後述する緊急警報信号検出装置３０に印加される。復調装置１４の出力は、種々の制御信号、音声データ、文字データ及び動画又は静止画の画像データの他に、緊急警報信号を含む。
【００１３】
メモリ１６に記憶された音声データは、音声デコーダ１８に読み出され、画像データは画像処理装置２０に読み出され、制御信号及びメールデータは制御装置２２に読み出される。音声デコーダ１８は、メモリ１６からの圧縮符号化された音声データを伸長し、アナログ音声信号をスピーカ２４に供給する。画像処理装置２０は、メモリ１６からの圧縮符号化された画像データを伸長し、復元された画像データを画像表示制御装置２６に供給する。
【００１４】
制御装置２２は、メモリ１６からの文字データを、それがユーザに表示すべき内容であるときには、文字表示信号に変換して、画像表示制御装置２６に供給する。文字表示信号は、例えば、指定の文字のフォントパターンからなる画像信号である。画像表示制御装置２６は、画像処理装置２０からの画像信号と、制御装置２２からの表示信号を選択又は合成して、画像表示装置２８に印加する。これにより、受信した画像と文字が、択一的又は合成されて、画像表示装置２８の画面上に表示される。画像表示装置２８は、例えば、液晶表示パネル、有機ＥＬ（エレクトロルミネッセンス）パネルであり、好ましくは、表示を維持するのに電力を要しないか極めて微小な電力しか消費しない表示パネルである。例えば、コレステリック液晶を使った液晶表示パネルは、画像の書込み時に電圧を印加するのみで、表示画像の維持に電力を必要としないので、警報等を表示し続ける用途に向いている。
【００１５】
他方、マイク３２はユーザの音声を電気信号に変換して、音声エンコーダ３４に印加する。音声エンコーダ３４は、マイク３２からのアナログ音声信号を圧縮符号化し、圧縮音声データをバッファとしてのメモリ３６に書き込む。変調装置３８は、メモリ３６から逐次、圧縮音声データを読み出して変調する。変調装置３８の出力は、サーキュレータ１２を介してアンテナ１０に印加され、アンテナから送信電波として基地局（図示せず）に放射される。なお、最近の携帯電話機は、カメラを使って静止画又は動画を入力でき、送信できるが、本発明には関係しないので、説明を省略する。
【００１６】
制御装置２２は、操作装置４０からの操作に従い、各部を制御する。例えば、制御装置２２は、電話機として必須の発呼と着呼を制御し、省電力のために電源供給制御装置４６による電源供給も制御する。
【００１７】
充電式バッテリ４２は、本実施例の携帯電話機の電源となる。残量検知装置４４は、バッテリ４２の出力電圧と消費電流からバッテリ４２の残量を検知し、検知した残量を制御装置２２に通知する。電源供給制御装置４６は、制御装置２２からの制御信号に従い、バッテリ４２の出力電力を各部に供給する。制御装置２２は、操作装置４０の操作と動作状態に従う動作モード（通話中、待ち受け中、並びに画像表示装置２８のオン／オフ及び表示輝度等）と、残量検知装置４４からの残量とに従って、電源供給制御装置４６を制御する。
【００１８】
電源供給に関しては、携帯電話機は、主として、送信系と受信系と制御系という３つのブロックに分類できる。送信系は例えば、マイク３２、音声エンコーダ３４、メモリ３６及び変調装置３８からなる。受信系は、例えば、復調装置１４，メモリ１６，音声デコーダ１８、制御装置２２、スピーカ２４、画像表示制御装置２６、画像表示装置２８及び緊急警報信号検出装置３０からなる。制御系は、制御装置２２、操作装置４０、残量検知装置４４及び電源供給制御装置４６からなる。
【００１９】
電源供給制御装置４６は、制御装置２２からの制御信号に従って、電力を必要とするブロックに選択的にバッテリ４２からの電力を供給する。本実施例では、従来の携帯電話機と同様に、通話中には、送信系、受信系及び制御系の全ブロックに電力が供給され、待ち受け中には、主として受信系に電力が供給される。本実施例は、これらの電力供給モードに加えて更に、緊急警報信号を待機するブロック、具体的には復調装置１４と緊急警報信号検出装置３０のみに電力を供給する電力供給モードを具備する。
【００２０】
本実施例では、バッテリ４２の残量が、緊急警報の受信と表示に残しておく程度にまで減少すると、制御装置２２は、残量検知装置４４の出力に従い、電源供給制御装置４６に、復調装置１４と緊急警報信号検出装置３０のみに電力を供給するように指示する。この状態では、復調装置１４と緊急警報信号検出装置３０で緊急警報の受信を待機している。画像表示装置２８の画面上に、緊急警報の待ち受け状態である旨を表示しても良いが、その表示の電力を節約したければ、画像表示装置２８の電源をオフにしてもよい。後者の方がバッテリ４２の消耗を防げるし、利用者に充電を促すことになる。ここでは、画像表示制御装置２６及び画像表示装置２８の電源がオフになっているとする。
【００２１】
緊急警報信号がアンテナ１０に入力すると、緊急警報信号検出装置３０が、復調装置１４の出力から緊急警報信号を検出する。緊急警報信号は、特定の警報コードに続けて警報内容の文字情報を含む。緊急警報信号検出装置３０は、緊急警報信号を検出すると、画像表示制御装置２６と画像表示装置２８に電力を供給するように電源供給制御装置４６に指示し、画像表示制御装置２６が動作状態になったころに、警報内容を画像表示制御装置２６に供給する。画像表示制御装置２６は、緊急警報信号検出装置３０からの警報内容を画像表示装置２８の画面上に表示する。
【００２２】
画像表示装置２８は、バッテリ４２が持つ限り、警報内容を表示し続ける。緊急警報信号を受信する都度、警報内容の表示を追加して更新する。いうまでもないが、画像表示装置２８が、電力無しで表示内容を保持できるタイプの表示装置からなる場合には、電源供給制御装置４６は、警報内容を表示した後で、画像表示制御装置２６及び画像表示装置２８への電源供給をオフにする。
【００２３】
通話可能な程にバッテリ４２の残量がある場合に緊急警報信号を受信したときには、当然ながら、通話は可能である。
【００２４】
緊急警報信号検出装置３０を復調装置１４の出力に接続したが、緊急警報信号の変調方式が、通話信号の変調方式と異なる場合には、サーキュレータ１２の出力に直接、緊急警報信号検出装置３０を接続しても良い。この場合、警報待機状態では、復調装置１４に電力を供給しなくても良い。
【００２５】
図２は、図１に示す携帯電話機を使用する緊急警報システムの概略構成図を示し、図３は、携帯電話会社の交換局の動作フローチャートを示す。
【００２６】
携帯電話会社は、携帯電話機と移動体基地局との間欠的な通信により、各携帯電話機のおおまかな所在地を把握している。携帯電話機がＧＰＳ受信機能を内蔵する場合には、より正確な位置を検出できる。携帯電話会社は、このようにして得られた自社の各携帯電話機の所在地を示す携帯電話位置情報データベースを有する位置情報管理システム５０を保有している。この位置情報データベースを参照することで、災害発生時に、その災害が及ぶエリアに存在する携帯電話機を決定できる。災害関係機関、例えば、自治体は、携帯電話会社に依頼して、災害が及ぶエリアに存在する携帯電話機に付近の移動体基地局から緊急警報を送信することになる。
【００２７】
例えば、携帯電話会社の移動体交換局５２の配下に移動体基地局５４，５６，５８があり、その移動体基地局５４の付近で地震災害が発生したとする（Ｓ１）。移動体基地局５４に設置された地震計６０が震度を計測し、震度情報を移動体交換局５２に送信する（Ｓ２、Ｓ４）。移動体交換局５２はまた、緊急警報の放送波をも受信しており、この放送波で災害の発生を知ることもある（Ｓ３、Ｓ４）。
【００２８】
移動体交換局５２は、災害発生地域と位置情報管理システム５０内の携帯電話位置情報データベースとを照合して、被災エリア及び周辺エリアに存在する個々の携帯電話機を認識する（Ｓ５）。
【００２９】
移動体交換局５２は、対象とする携帯電話機６２に向けて、テキストベースの被災情報を送信する。携帯電話機６２は、図１に示す構成を具備し、先に説明したようにして、その画像表示装置の画面上に、被災情報が表示される。
【００３０】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００３１】
【図１】本発明の一実施例である携帯電話機の概略構成ブロック図である。
【図２】緊急警報システムの概略構成図である。
【図３】本実施例による緊急警報のフローチャートである。
【符号の説明】
【００３２】
１０：アンテナ
１２：サーキュレータ
１４：復調装置
１６：メモリ
１８：音声デコーダ
２０：画像処理装置
２２：制御装置
２４：スピーカ
２６：画像表示制御装置
２８：画像表示装置
３０：緊急警報信号検出装置
３２：マイク
３４：音声エンコーダ
３６：メモリ
３８：変調装置
４０：操作装置
４２：充電式バッテリ
４４：残量検知装置
４６：電源供給制御装置
５０：位置情報管理システム
５２：移動体交換局
５４，５６，５８：移動体基地局
６０：地震計
６２：携帯電話機
【図１】
0004529854.tif 000002
【図２】
0004529854.tif 000003
【図３】
0004529854.tif 000004